(57)【要約】【課題】  油分を捕集する部材の着脱時に、本部材と回転するフィルタが接触することを防止するレンジフードを提供する。【解決手段】  レンジフード１は、空気の流れを発生させるファン４と、ファンと連通する連通口６を有する内面パネル５と、孔を有する円盤状のフィルタ１０と、フィルタを回転させる電動機２０と、フィルタの周縁端部１２を囲むフランジ部３２と、フランジ部の下端部でフランジ部より内側に延在する延在部３３とを有する油分捕集部材３０と、周縁端部より外側であってフランジ部よりも内側に位置する衝突阻止部７０と、油分捕集部材の一方の延在部を支持する支持部５０と、油分捕集部材の他方を係合する係合部６０と、を備え、係合部が油分捕集部材の他方から係合を離れた場合に、フランジ部の端部が衝突阻止部に当接し、衝突阻止部は、フランジ部が周縁端部に衝突することを阻止する。【選択図】  図４
2015114059.tif 000002
【特許請求の範囲】
【請求項１】
空気の流れを発生させるファンと、
前記ファンと連通する連通口を有する内面パネルと、
前記連通口に位置し、孔を有する円盤状のフィルタと、
前記フィルタを回転させる電動機と、
前記フィルタの周縁端部を囲むフランジ部と、前記フランジ部の下端部で前記フランジ部より内側に延在する延在部とを有する油分捕集部材と、
前記周縁端部より外側であって前記フランジ部よりも内側に位置する衝突阻止部と、
前記油分捕集部材の一方の前記延在部を支持する支持部と、
前記油分捕集部材の他方を係合する係合部と、
を備え、
前記係合部が前記油分捕集部材の他方から係合を離れた場合に、前記フランジ部の端部が前記衝突阻止部に当接し、前記衝突阻止部は、前記フランジ部が前記周縁端部に衝突することを阻止する、
レンジフード。
【請求項２】
さらに前記延在部が前記支持部との接触を離れた場合に、前記フランジ部の端部は前記衝突阻止部に当接することを特徴とする請求項１に記載のレンジフード。
【請求項３】
前記衝突阻止部は前記内面パネルから隆起し、前記フランジ部の端部は、前記衝突阻止部の隆起した斜面に当接することを特徴とする請求項１または２に記載のレンジフード。
【請求項４】
前記フランジ部の端部は、前記係合部が前記油分捕集部材の他方を係合している場合に、前記衝突阻止部の下端より上方に位置することを特徴とする請求項１乃至３のいずれかに記載のレンジフード。
【請求項５】
前記衝突阻止部は、前記油分捕集部材の一方側に、前記周縁端部における前記支持部との最近点を挟んで２つ設けられ、
前記衝突阻止部に当接する前記端部の前記延在部からの高さは、前記最近点付近の前記端部の前記延在部からの高さより高いことを特徴とする請求項１乃至４のいずれかに記載のレンジフード。
【請求項６】
空気の流れを発生させるファンと、
前記ファンと連通する連通口を有する内面パネルと、
前記連通口に位置し、孔を有する円盤状のフィルタと、
前記フィルタを回転させる電動機と、
前記フィルタの周縁端部を囲むフランジ部と、前記フランジ部の下端部で前記フランジ部より内側に延在する延在部とを有する油分捕集部材と、
前記油分捕集部材を支持する支持部と、
前記周縁端部より外側であって前記フランジ部よりも内側に位置し、前記油分捕集部材がレンジフードから取り外される過程において前記フランジ部が前記周縁端部に衝突することを阻止する衝突阻止部と、
を備えるレンジフード。
【請求項７】
前記衝突阻止部は、前記内面パネルから下方に延出し、前記フランジ部の端部が当接する傾斜部を有することを特徴とする請求項６に記載のレンジフード。
【請求項８】
前記フランジ部の端部は、前記油分捕集部材が前記レンジフードに装着されている場合に、前記衝突阻止部の下端より上方に位置することを特徴とする請求項６または７に記載のレンジフード。
【請求項９】
前記衝突阻止部は、前記周縁端部より外側であって前記フランジ部よりも内側に複数設けられることを特徴とする請求項６乃至８のいずれかに記載のレンジフード。
【請求項１０】
少なくとも２つの前記衝突阻止部は、前記周縁端部の１点と前記少なくとも２つの前記衝突阻止部の２点の３点を通る円弧の曲率が前記フランジ部の曲率より小さくなるように配置されることを特徴とする請求項９に記載のレンジフード。
【発明の詳細な説明】
【技術分野】
【０００１】
本発明は、レンジフードに関し、特にフィルタを回転させて油分を捕集する油捕集装置およびそれを備えたレンジフードに関する。
【背景技術】
【０００２】
調理器の上方または周囲に設置され、調理により発生した煙や油粒子、臭気を捕集して排気または室内に循環するレンジフードには、捕集した空気から油を分離回収するための油捕集装置が設けられている。この油捕集装置は、油捕集率を高めることが当該装置の空気の流れの下流側の送風機やダクト等の汚れを防止し、これらのメンテナンス周期の長期化や長寿命化に貢献することから、円盤状のフィルタを高速回転させて油分を捕集することで高い油捕集率を実現する高捕集型油捕集装置を搭載したレンジフードを本出願人自ら出願している（特許文献１）。
【先行技術文献】
【特許文献】
【０００３】
【特許文献１】特願２０１１−２９０１５０号公報
【発明の概要】
【発明が解決しようとする課題】
【０００４】
このようなレンジフードでは、高速回転する円盤状のフィルタの周囲やその下方に位置して油脂分を回収する部材を設けて、フィルタで捕獲し飛散する油脂分を捕集し、油脂分がレンジフードから滴下することを防止する。また、かかる油分を捕集する部材は、空気中から分離回収した油脂分を蓄える油溜まりの機能も有しているため、定期的にこの部材を取り外して溜まった油を廃棄する必要がある。また、フィルタを洗う際にもまずこの部材を取り外した後に円盤状のフィルタを取り外す必要がある。
【０００５】
そして、かかる油分を捕集する部材を取り外す際には、回転するフィルタの周囲を囲むように設けられている本部材がフィルタに接触しないように注意を払って取り外すことになるが、操作を誤ると接触してしまい、フィルタに傷が付いてしまったり、最悪な場合には変形をきたしてしまったりと、不慮の接触による損傷が発生する可能性があった。そこで、本部材の着脱時に、本部材とフィルタが接触しないようにすることが望まれていた。
【０００６】
そこで、本発明は、油分を捕集する部材の着脱時に、本部材と回転するフィルタが接触することを防止するレンジフードを提供することを目的とする。
【課題を解決するための手段】
【０００７】
上記課題を解決するために、空気の流れを発生させるファンと、そのファンと連通する連通口を有する内面パネルと、連通口に位置し、孔を有する円盤状のフィルタと、そのフィルタを回転させる電動機と、フィルタの周縁端部を囲むフランジ部とそのフランジ部の下端部でフランジ部より内側に延在する延在部とを有する油分捕集部材と、周縁端部より外側であってフランジ部よりも内側に位置する衝突阻止部と、油分捕集部材の一方の延在部を支持する支持部と、油分捕集部材の他方を係合する係合部と、を備え、係合部が油分捕集部材の他方から係合を離れた場合に、フランジ部の端部が衝突阻止部に当接し、衝突阻止部は、フランジ部が周縁端部に衝突することを阻止するレンジフードが提供される。
これによれば、油分捕集部材の着脱時に、油分捕集部材のフランジ部が衝突阻止部に当接し、フランジ部が周縁端部に衝突することを阻止することで、本部材と回転するフィルタが接触することを防止するレンジフードを提供することができる。
【０００８】
さらに、延在部が支持部との接触を離れた場合に、フランジ部の端部は衝突阻止部に当接することを特徴としてもよい。
これによれば、油分捕集部材がレンジフードからの接触を離れて以降の取り外される途中であっても、フランジ部が衝突阻止部に当接することで、本部材と回転するフィルタが接触することを防止することができる。
【０００９】
さらに、衝突阻止部は内面パネルから隆起し、フランジ部の端部は、衝突阻止部の隆起した斜面に当接することを特徴としてもよい。
これによれば、フランジ部が隆起した斜面に当接することで、本部材と回転するフィルタが接触することを円滑に防止することができる。
【００１０】
さらに、フランジ部の端部は、係合部が油分捕集部材の他方を係合している場合に、衝突阻止部の下端より上方に位置することを特徴としてもよい。
これによれば、フランジ部の端部が必ず衝突阻止部に接触する高さであり、効果的に本部材と回転するフィルタが接触することを防止することができる。
【００１１】
さらに、衝突阻止部は、油分捕集部材の一方側に、周縁端部における支持部との最近点を挟んで２つ設けられ、衝突阻止部に当接する端部の延在部からの高さは、最近点付近の端部の延在部からの高さより高いことを特徴としてもよい。
これによれば、一方側のフランジ部の中央部分を両端部分より低くすることで、円盤状のフィルタとの間隔距離を大きく取ることができるため、薄型のフード部においても、効果的に本部材と回転するフィルタが接触することを防止することができる。
【００１２】
上記課題を解決するために、空気の流れを発生させるファンと、そのファンと連通する連通口を有する内面パネルと、連通口に位置し、孔を有する円盤状のフィルタと、そのフィルタを回転させる電動機と、フィルタの周縁端部を囲むフランジ部とフランジ部の下端部でフランジ部より内側に延在する延在部とを有する油分捕集部材と、その油分捕集部材を支持する支持部と、周縁端部より外側であってフランジ部よりも内側に位置し、油分捕集部材がレンジフードから取り外される過程においてフランジ部が周縁端部に衝突することを阻止する衝突阻止部と、を備えるレンジフードが提供される。
これによれば、衝突阻止部が、油分捕集部材がレンジフードから取り外される過程において、フランジ部が周縁端部に衝突することを阻止することで、本部材と回転するフィルタが接触することを防止するレンジフードを提供することができる。
【００１３】
さらに、衝突阻止部は、内面パネルから下方に延出し、フランジ部の端部が当接する傾斜部を有することを特徴としてもよい。
これによれば、フランジ部が傾斜した部分に当接することで、本部材と回転するフィルタが接触することを円滑に防止することができる。
【００１４】
さらに、フランジ部の端部は、油分捕集部材がレンジフードに装着されている場合に、衝突阻止部の下端より上方に位置することを特徴としてもよい。
これによれば、フランジ部の端部が必ず衝突阻止部に接触する高さであり、効果的に本部材と回転するフィルタが接触することを防止することができる。
【００１５】
さらに、衝突阻止部は、周縁端部より外側であってフランジ部よりも内側に複数設けられることを特徴としてもよい。
これによれば、いずれの方向からも、本部材と回転するフィルタが接触することを防止することができる。
【００１６】
さらに、少なくとも２つの衝突阻止部は、周縁端部の１点と少なくとも２つの衝突阻止部の２点の３点を通る円弧の曲率がフランジ部の曲率より小さくなるように配置されることを特徴としてもよい。
これによれば、いずれの方向からも、確実に本部材と回転するフィルタが接触することを防止することができる。
【発明の効果】
【００１７】
以上説明したように、本発明によれば、油分を捕集する部材の着脱時に、本部材と回転するフィルタが接触することを防止するレンジフードを提供することができる。
【図面の簡単な説明】
【００１８】
【図１】本発明に係る第一実施例のレンジフードの（Ａ）底面図、（Ｂ）整流板を取り外した場合の底面図。
【図２】本発明に係る第一実施例のレンジフードの、整流板と油分捕集部材を取り外した場合の、（Ａ）底面図、（Ｂ）右下から見た斜視図。
【図３】本発明に係る第一実施例のレンジフードの、整流板と油分捕集部材を取り外した場合の、（Ａ）フィルタ付近の拡大底面図、（Ｂ）フィルタ付近の右下から見た拡大斜視図。
【図４】本発明に係る第一実施例における、油分捕集部材が装着状態のレンジフードの（Ａ）断面図（図２（Ａ）のＢ−Ｂ断面における）、（Ｂ）油分捕集部材付近の同拡大断面図（同断面における）。
【図５】本発明に係る第一実施例の油分捕集部材の、（Ａ）平面図、（Ｂ）正面図、（Ｃ）背面図、（Ｄ）右側面図、（Ｅ）左上から見た斜視図、（Ｆ）右後から見た斜視図。
【図６】本発明に係る第一実施例の油分捕集部材の、（Ａ）断面図（図５（Ａ）のＡ−Ａ断面における）、（Ｂ）正面側の被係合部付近の拡大断面図（同断面における）、（Ｃ）平面側の被支持部付近の拡大断面図（同断面における）。
【図７】本発明に係る第一実施例のレンジフードの衝突阻止部付近の拡大断面図（図２（Ａ）のＢ−Ｂ断面における）。
【図８】本発明に係る第一実施例のレンジフードの、油分捕集部材が取り外される時の、（Ａ）右下から見た斜視図、（Ｂ）右下から見た拡大斜視図。
【図９】本発明に係る第一実施例における、係合部の係合が離れた時のレンジフードの（Ａ）断面図（図２（Ａ）のＢ−Ｂ断面における）、（Ｂ）油分捕集部材付近の同拡大断面図（同断面における）。
【図１０】本発明に係る第二実施例のレンジフードにおける衝突阻止部の配置のコンセプトを説明する説明図と配置のバリエーションを示す図。（Ａ）周縁端部の１点と衝突阻止部の２点の３点を通る円弧の曲率がフランジ部の曲率より小さい場合、（Ｂ）周縁端部の１点と衝突阻止部の２点の３点を通る円弧の曲率がフランジ部の曲率より等しい場合、（Ｃ）衝突阻止部が３つの場合、（Ｄ）衝突阻止部が４つの場合、（Ｅ）衝突阻止部が５つの場合、（Ｆ）衝突阻止部が６つの場合。
【図１１】本発明に係る第二実施例のレンジフードにおける油分捕集部材付近の、（Ａ）底面図、（Ｂ）断面図（（Ａ）のＣ−Ｃ断面における）、（Ｃ）斜視図。
【発明を実施するための形態】
【００１９】
以下では、図面を参照しながら、本発明に係る各実施例について説明する。
＜第一実施例＞
図１乃至図４を参照し、本実施例にかかるレンジフード１について説明する。レンジフード１は、下方または周囲で行われる調理によって発生する湯気や油煙等を捕集するための、上方に凹状の内面パネル５を内面に有する薄型のフード部２を有する。フード部２は、上部後方に位置する内面パネル５の連通口６付近で、排気ダクト（図示せず）に接続される送風機ボックス３と連結されている。送風機ボックス３は、幕板９の背面側に位置し、内部にシロッコファンであり空気の流れＤ１を発生させるファン４を有する。従って、ファン４が稼働すると連通口６は負圧となり、内面パネル５の下方の空気は連通口６を通して吸入され、排気ダクトを通して外部に排出される。連通口６は、ファン４と連通し、ファン４が発生させた空気の流れＤ１の流路上であって、ファン４より空気の流れの上流側に位置する。
【００２０】
レンジフード１は、連通口６の位置に、空気の流れＤ１を通過させる孔１１を有する円盤状のフィルタ１０と、円盤状のフィルタ１０の中心にシャフトを連結され、フィルタ１０を回転させる電動機２０と、電動機２０を内面パネル５に取り付けるための電動機取付具４０と、内面パネル５に取り付けられ、フィルタ１０の外周縁を囲むようにして配置される油分捕集部材３０と、を備える。従って、レンジフード１は、ファン４が発生させる空気の流れＤ１の流路上であって、ファン４よりその流れの上流側に存在し、その空気の流れを図視で下から上に通過させる孔１１を有するフィルタ１０を、回転可能に備える。
【００２１】
内面パネル５の下方の空気は、調理によって発生する湯気や油煙等を含んでおり、ファン４が稼働すると、連通口６に存在する、即ちファン４が発生させた空気の流れＤ１の流路上であってファン４より上流側に位置するフィルタ１０の孔１１に吸引され、その孔１１を通過することになる。フィルタ１０は、電動機２０により回転可能に設けられており、レンジフード１が稼働すると、ファン４が空気の流れＤ１を発生させる共に電動機２０がフィルタ１０を回転させる。レンジフード１は、フィルタ１０を回転させることにより、空気に含まれる油分を油分捕集部材３０に捕集する。また、フィルタ１０は、電動機２０のシャフト２１の先端部分に、着脱具１４により着脱自在に取り付けられる。
【００２２】
かかるレンジフード１は、従来のスロットフィルタやＨＥＰＡフィルタ等を用い、スリットや目を細かくしたり、重ね合わせて複層としたりすることにより油捕集効率を向上させることに比べ、圧力損失が小さい状態で高い油捕集効率を有することができる。よって、従来のフィルタと比較して低い通気抵抗を維持したまま高い油捕集効率を得ることができる。また、フィルタに油分が付着し目詰まりを起こすことが少なくなることにより、フィルタ自体の洗浄の労力が低減し、使用するに従って圧力損失が増加することを防止でき、さらに、空気流路におけるフィルタより下流部分にほとんど油分が付着しないため、フィルタより下流部分を清掃／洗浄する手間を大幅に軽減するレンジフードを提供できる。
【００２３】
一方、その代り、フィルタ１０より上流側に位置し、フィルタ１０により捕獲された油分が捕集される油分捕集部材３０には、短期間に油脂分が溜まり易い。そのため、溜まった油脂を捨てるために頻繁に油分捕集部材３０を着脱する必要がある。
【００２４】
レンジフード１は、さらに、油分捕集部材３０の背面側を支持する支持部５０と、油分捕集部材３０の正面側を係合する係合部６０とを備える。油分捕集部材３０は、その背面側の一部を支持部５０により支持され、その正面側の一部を係合部６０により係合されることで、レンジフード１に取り付けられる。
【００２５】
図５乃至図７も参照しながら、油分捕集部材３０、支持部５０、係合部６０、および衝突阻止部７０について説明する。油分捕集部材３０は、中央部にファン４により生ずる空気の流れを通す通気開口部３５と、その周りにほぼ同じ幅を有する円弧状部分と背面側に油溜まり３１となる直線状部分とからなり、全体として環状をなす。油分捕集部材３０は、フィルタ１０の周縁端部１２の外側および下方の周囲を取り囲むように配置される。フィルタ１０は、通気開口部３５の中を流れる空気が含む油分を捕獲し、周縁端部１２の方へ飛散させる。油分捕集部材３０は、フィルタ１０が捕獲し飛散させた油分等を捕集する。
【００２６】
油分捕集部材３０は、フィルタ１０の周縁端部１２を外側から囲み、飛散した油分を受け止めるフランジ部３２と、油脂分がレンジフードから滴下することを防止するため、フランジ部３２の下端部でフランジ部３２より内側（中心側）に延在し、フィルタ１０の周縁端部１２の下側を覆う延在部３３と、延在部３３からフランジ部３２と同じ側へ（上方へ）立ち上り、通気開口部３５を囲むように延在部３３の内縁端部からフィルタ１０側に立ち上がる立ち上り部３４とを有し、フィルタ１０から捕集した油を留めておく油溜まり３１を形成する。フィルタ１０の周縁端部１２を外側から囲むように配置されるフランジ部３２と立ち上り部３４は、円弧状部分においては、平面視で周縁端部１２を挟みほぼ等しい距離を有する。
【００２７】
油分捕集部材３０は、正面側の延在部３３とフランジ部３２との角部に、係合部６０と係合するために凹部となった被係合部３６を有する。被係合部３６の高さは、凸状の係合部が嵌り込む程度である。また、油分捕集部材３０は、背面側直線状部分の延在部３３とフランジ部３２との角部に、支持部５０に支持される被支持部３３１を有する。被支持部３３１は、支持部５０の板厚分だけ窪んでおり、延在部３３の下面と支持部５０の下面は面一となる。
【００２８】
フランジ部３２の延在部３３からの高さ（端部３２１の高さ）は、油分捕集部材３０がレンジフード１に取り付けられた時には、フィルタ１０の周縁端部１２よりも高い位置になる高さとなることが好ましい。これにより、フィルタ１０の前面で飛散した油分を確実に捕集することができる。従って、フランジ部３２の高さを低くすると、着脱時に油分捕集部材３０がフィルタ１０の周縁端部１２に接触することが避けられるが、あまり低くすることはできない。
【００２９】
また、フランジ部３２の端部３２１は、係合部６０が油分捕集部材３０の正面側を係合している場合に、即ち、油分捕集部材３０がレンジフード１に取り付けられている状態において、後述する衝突阻止部７０の下端より上方に位置する。これによれば、フランジ部３２の端部３２１が必ず衝突阻止部７０に接触する高さであり、効果的に油分捕集部材３０と回転するフィルタ１０が接触することを防止することができる。なお、衝突阻止部７０の下端とは、本実施例の場合、内面パネル５から下方へ隆起した頂部のことを言う。また、立ち上り部３４の延在部３３からの高さは、フィルタ１０の下面に触れず、延在部３３に滴下した油分が落下しない程度の高さである。
【００３０】
フランジ部３２の背面側直線状部分は、被支持部３３１と対応する幅において、他の部分より高さＨだけ低くなっている。換言すれば、背面側直線状部分の両端付近は、中央部分よりＨだけ高くなっている。この背面側直線状部分の両端付近の２か所の端部が、衝突阻止部７０と当接する。フィルタ１０の周縁端部１２における支持部５０との最近点ＮＰ（図３（Ａ）に図示）付近となる部分において、フランジ部３２の端部３２１の延在部３３からの高さが、背面側直線状部分の両端付近の衝突阻止部７０に当接する端部３２１の延在部３３からの高さより低いことで、円盤状のフィルタ１０との間隔距離を大きく取ることができるため、薄型のフード部においても、効果的に油分捕集部材３０と回転するフィルタ１０が接触することを防止することができる。もちろん、これに限定されず、背面側直線状部分はすべて同じ高さであってもよい。
【００３１】
衝突阻止部７０は、内面パネル５において、底面視でフィルタ１０の周縁端部１２より外側であってフランジ部３２よりも内側（フィルタの回転中心側）に位置して、内面パネル５から下方へ隆起して設けられる。より詳細には、衝突阻止部７０の下端が内面パネル５において、底面視でフィルタ１０の周縁端部１２より外側であってフランジ部３２よりも内側（フィルタの回転中心側）に位置して、内面パネル５から下方へ隆起して設けられる。すなわち、衝突阻止部７０の少なくとも下端が、フィルタ１０の周縁端部１２より外側であって、フランジ部３２よりも内側に位置していればよい。衝突阻止部７０は、隆起して設けられるので、斜面をなす傾斜部７１を有する。
【００３２】
油分捕集部材３０がレンジフード１に取り付けられた状態において、衝突阻止部７０の下端（隆起した部分の頂部）は、フランジ部３２の上端となる端部３２１よりも低い位置にある。本実施例においては、衝突阻止部７０は、油分捕集部材３０の背面側であって支持部５０近傍に、周縁端部１２における支持部５０との最近点ＮＰを挟んで両側に２つ設けられる。このように設けられることで、油分捕集部材３０を着脱する場合、着脱する方向（背面側／正面側方向）に如何に動かそうとも、フランジ部３２が周縁端部１２に衝突することを阻止し、油分捕集部材３０と回転するフィルタ１０が接触することを防止することができる。
【００３３】
支持部５０は、連通口６より背面側近傍に備えられ、油分捕集部材３０の延在部３３に形成された被支持部３３１を支持する。係合部６０は、連通口６より正面側近傍に前後方向（正面・背面方向）に出没自在に備えられ、バネ等の弾性部材によって、油分捕集部材３０の被係合部３６を付勢して設けられる。油分捕集部材３０を取り外そうとする者は、付勢力に抗して係合部６０を操作して、係合部６０と被係合部３６の係合を外す。係合部６０は、これに限定されず、油分捕集部材３０の装着時には被係合部３６に係合し、取り外そうとする場合には容易に係合を離れるようになっていればよい。
【００３４】
以上は、係合部６０が油分捕集部材３０の被係合部３６を係合している状態、即ち油分捕集部材３０がレンジフード１に装着されている状態を説明したが、以降では、図８および図９を参照して、油分捕集部材３０をレンジフード１から取り外す場合について説明する。本図は、係合部６０が油分捕集部材３０の被係合部３６から係合を離れ、支持部５０だけで油分捕集部材３０を支えている状態を示す。
【００３５】
使用者（油分捕集部材３０を着脱する者）が、油分捕集部材３０をレンジフード１から取り外そうとして、係合部６０を操作して、係合部６０と油分捕集部材３０の被係合部３６との係合を外す。係合部６０が油分捕集部材３０の正面側から係合を離れた場合、油分捕集部材３０は、背面側の片方を支持部５０によって支持されているだけなので、重力により正面側だけが下に落ちようとする。通常、使用者は、落ちてくる油分捕集部材３０の正面側を手で支えて、かつ手前方向（正面方向）であってやや斜め下方向へ油分捕集部材３０を取り出そうとする。
【００３６】
この際、フランジ部３２の背面側は被支持部３３１からある程度の高さを有するため、何も無い場合にはその端部３２１がフィルタ１０の周縁端部１２に引っ掛かり易い。しかし、衝突阻止部７０がフィルタ１０の周縁端部１２より外側であってフランジ部３２よりも内側に、内面パネル５から下方へ隆起して、フランジ部３２の端部３２１が当接するように設けられている。そうすると、衝突阻止部７０は、油分捕集部材３０がレンジフード１から取り外される過程においてフランジ部３２が周縁端部１２に衝突することを阻止する。これによれば、油分捕集部材３０の着脱時に、油分捕集部材３０のフランジ部３２が衝突阻止部７０に当接し、フランジ部３２が周縁端部１２に衝突することを阻止することで、油分捕集部材３０と回転するフィルタ１０が接触することを防止することができる。
【００３７】
また、使用者が油分捕集部材３０をレンジフード１から完全に取り外す際背面側を持ち上げるような操作を行ったような場合、図９（Ｂ）が示すように、さらに延在部３３（被支持部３３１）が支持部５０との接触を離れた場合にも、フランジ部３２の端部３２１は衝突阻止部７０に当接する。これによれば、油分捕集部材３０がレンジフード１からの接触を離れて以降の取り外される途中であっても、フランジ部３２が衝突阻止部７０に当接することで、油分捕集部材３０と回転するフィルタ１０が接触することを防止することができる。そして、使用者がこのように傾いた油分捕集部材３０を正面側へ引き出すことで、油分捕集部材３０は、フィルタ１０が接触することなく、レンジフード１から完全に取り外すことができる。
【００３８】
また、衝突阻止部７０は、内面パネル５から下方へ隆起し、フランジ部３２の端部３２１が、着脱される場合衝突阻止部７０の隆起した斜面をなす傾斜部７１に当接するように設けられる。なお、傾斜部７１は、内面パネル５から下方へ隆起した頂部から近傍のフランジ部３２の方であって隆起のふもとの方へ傾斜する面を形成する。また、衝突阻止部７０は、内面パネル５から下方へ延出し、傾斜部を有してもよい。これによれば、フランジ部が隆起または延出したことにより形成された斜面の傾斜部に当接して摺動することで、油分捕集部材３０と回転するフィルタ１０が接触することを円滑に防止することができる。また、フランジ部が衝突阻止部７０の傾斜部に当接して摺動することで、油分捕集部材３０を取り外す方向へと案内することができ、取り外し時の操作性を向上させることができる。
【００３９】
＜第二実施例＞
図１０および図１１を参照し、本実施例にかかる衝突阻止部について説明する。なお、重複記載を避けるために、上記実施例とは異なるところを主に説明する。なお、本図は、説明のために、レンジフードから特に油分捕集部材３０Ａとフィルタ１０Ａ付近を切り出して描いた図である。
【００４０】
衝突阻止部７０Ａは、底面視でフィルタ１０Ａの周縁端部１２Ａより外側であってフランジ部３２Ａよりも内側（回転中心側）に複数設けられる点は、上記実施例と同じである。一方、上記実施例では衝突阻止部７０は２か所であって、両方とも背面側に設けられていたが、本実施例では衝突阻止部７０Ａは３か所以上であって、いずれかの側に偏っていない。これによれば、いずれの方向からも、油分捕集部材３０Ａと回転するフィルタ１０Ａが接触することを防止することができる。
【００４１】
図１０（Ａ）が示すように、少なくとも２つの衝突阻止部７０Ａは、周縁端部１２の１点ＰＴと、少なくとも２つの衝突阻止部７０の２点の３点を通る円弧ＣＡ１の曲率が、フランジ部３２Ａの曲率より小さくなるように配置されることが好ましい。これによれば、仮に油分捕集部材３０Ａが平行にどの方向に移動したとしても、確実に油分捕集部材３０Ａと回転するフィルタ１０Ａが接触することを防止することができる。
【００４２】
なお、図１０（Ｂ）は、周縁端部１２Ａ’の１点ＰＴと、２つの衝突阻止部７０Ａ’の２点の３点を通る円弧ＣＡ２の曲率が、フランジ部３２Ａ’の曲率とほぼ同じである場合を示している。かかる場合は、フランジ部３２Ａ’は、衝突阻止部７０Ａ’と接触すると共に、周縁端部１２Ａ’にもほぼ接触する。従って、周縁端部の１点ＰＴと、２つの衝突阻止部の２点の３点を通る円弧の曲率が、フランジ部の曲率より大きい場合には、フランジ部は、衝突阻止部と接触する前に周縁端部に接触してしまうことが分かる。
【００４３】
図１０（Ｃ）は、互いが回転中心を中心として１２０°の関係にある３つの衝突阻止部７０Ｂを示す。また、図１０（Ｄ）は、互いが回転中心を中心として９０°の関係にある４つの衝突阻止部７０Ｃを示す。また、図１０（Ｅ）は、互いが回転中心を中心として７２°の関係にある５つの衝突阻止部７０Ｄを示す。また、図１０（Ｆ）は、互いが回転中心を中心として６０°の関係にある６つの衝突阻止部７０Ｅを示す。いずれの衝突阻止部も、少なくとも２つの衝突阻止部は、周縁端部の１点と、少なくとも２つの衝突阻止部の２点の３点を通る円弧の曲率が、フランジ部の曲率より小さくなるように配置されている。
【００４４】
図１１は、図１０（Ｆ）に示した衝突阻止部７０Ｅを６つ備える油分捕集部材３０Ｅおよびフィルタ１０Ｅの周辺を示す。衝突阻止部７０Ｅは、内面パネル５Ｅから下方に延出し、フィルタ１０Ｅの周縁端部１２Ｅより下方に位置する下端を有する。また、衝突阻止部７０Ｅは、回転中心とは反対側（外側）に傾斜部７１Ｅを有する。これによれば、いずれの方向から油分捕集部材が接近したとしても、確実に油分捕集部材３０Ｅと回転するフィルタ１０Ｅが接触することを防止することができる。
【００４５】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００４６】
１      レンジフード
２      フード部
３      送風機ボックス
４      ファン
５      内面パネル
６      連通口
７      整流板
９      幕板
１０    フィルタ
１１    孔
１２    周縁端部
１４    着脱具
２０    電動機
３０    油分捕集部材
３１    油溜まり
３２    フランジ部
３２１  フランジ部の端部
３３    延在部
３３１  被支持部
３４    立ち上り部
３５    通気開口部
３６    被係合部
４０    電動機取付具
５０    支持部
６０    係合部
７０    衝突阻止部
７１    傾斜部
Ｄ１    空気の流れる方向
ＮＰ    最近点
ＣＡ    円弧
ＰＴ    周縁端部の点
【図１】
2015114059.tif 000003
【図２】
2015114059.tif 000004
【図３】
2015114059.tif 000005
【図４】
2015114059.tif 000006
【図５】
2015114059.tif 000007
【図６】
2015114059.tif 000008
【図７】
2015114059.tif 000009
【図８】
2015114059.tif 000010
【図９】
2015114059.tif 000011
【図１０】
2015114059.tif 000012
【図１１】
2015114059.tif 000013